(57)【特許請求の範囲】
【請求項１】
返信封筒上紙の所要位置に擬似接着した二層フィルムの一方面を接着剤を介して裏打ちし、裏打ちした裏打ち面とは反対側の擬似接着面まで達する切り込みにより分離可能にしたカードを有する返信封筒用上紙と返信封筒用下紙とを折り部を介して連接してなる封筒外形紙と、前記返信封筒用下紙に折り部を介して連接され、前記返信封筒用上紙と返信封筒用下紙との間に折り入れたときの前記カードに対応する位置であって前記カードにおける前記二層フィルムとは反対側となる面と同じ側の面に返信宛名部が設けられている封筒内紙とを備えることを特徴とするカード送付台紙。
【請求項２】
二つ折りした封筒外形紙の内側に封筒内紙を折り入れたときに相対する辺部に糊代が設けられている請求項１に記載のカード送付台紙。
【発明の詳細な説明】
【０００１】
【発明の属する技術分野】
本発明は、カード送付台紙に関するものである。
【０００２】
【発明が解決しようとする課題】
従来から会員カードなどの個人用のカードの送付に際しては、カード送付台紙にそのカードを取り付けて封筒に挿入しており、カード送付台紙がカードを支持することで封筒内でカードの移動することのないようにしている。また、カードに設けた会員名などの個人情報と送付宛名とのマッチングを行ない易くするため、カード送付台紙が宛名情報を有する紙片を有した構成のものとし、送付に際してこのカード送付台紙を折り畳んで、カード送付台紙側に記載されている送付宛名が、窓開き封筒の窓部から表出できるようにした工夫も行なわれている。
ところで、各種サービス提供業者は会員カードなどを顧客側に送付する機会を利用して各種の提供サービスを紹介し、そのサービスに対して申込書を返送するなどのような顧客から返信が顧客側で行ない易くなるようにしたいとの要望がなされている。
そこで本発明は上記事情に鑑み、カード送付台紙を利用して返信封筒が得られるようにすることを課題とし、カードの送付に際して返信用封筒を別途に用意することなく、また、返信送付者側で手間無くその返信封筒の差し出しが行なえるカード送付台紙を得ることを目的とする。
【０００３】
【課題を解決するための手段】
本発明は上記課題を考慮してなされたもので、返信封筒上紙の所要位置に擬似接着した二層フィルムの一方面を接着剤を介して裏打ちし、裏打ちした裏打ち面とは反対側の擬似接着面まで達する切り込みにより分離可能にしたカードを有する返信封筒用上紙と返信封筒用下紙とを折り部を介して連接してなる封筒外形紙と、前記返信封筒用下紙に折り部を介して連接され、前記返信封筒用上紙と返信封筒用下紙との間に折り入れたときの前記カードに対応する位置であって前記カードにおける前記二層フィルムとは反対側となる面と同じ側の面に返信宛名部が設けられている封筒内紙とを備えることを特徴とするカード送付台紙を提供して、上記課題を解消するものである。
そして、本発明において、二つ折りした封筒外形紙の内側に封筒内紙を折り入れたときに相対する辺部に糊代が設けられていることが良好である。
【０００４】
【発明の実施の形態】
つぎに本発明を図１から図３に示す実施の形態に基づいて詳細に説明する。
図中１は三折り可能としたカード送付台紙で、該カード送付台紙１は図１に示されているように、返信封筒用上紙２と返信封筒用下紙３とが折り部４を介して連接してなる封筒外形紙５と、前記返信封筒用下紙３における返信封筒用上紙２とは反対側の辺に折り部６を介して連接されている封筒内紙６とを備えているものである。
上記返信封筒用上紙２の所要位置には切り込み８を入れて区画されたカード９が設けられている。そして、このカード９の箇所にあっては窓フィルム１０の貼り付けによって裏打ちされている。前記窓フィルム１０は疑似接着された二層フィルムの構成を有していて、図２に示すように切り込み８が二層フィルム１０ａ，１０ｂの疑似接着面に達している。これによって前記カード９は返信封筒用上紙２側に位置するフィルム１０ａを伴った状態で疑似接着面から分離できるように設けられている。
【０００５】
上記窓フィルム１０は透明であり、上述したようにカード９の取り除きによってフィルム１０ｂが残って透視可能な窓が形成されるようにしている。
また、上記封筒内紙７には、該封筒内紙７を折り部６から返信封筒用下紙３側へ折って返信封筒用上紙２と返信封筒用下紙３との間に折り入れたときの上記カード９に対応する位置であって、図１に示すように前記カード９における前記二層フィルムとは反対側となる面と同じ側の面に返信宛名部１１が設けられている。即ち、前記返信宛名部１１は、フィルム１０ｂに覆われる窓が形成される位置に対応しているものであって、カード９を取り除いた後に上記封筒内紙７を内側にして封筒外形紙５を二つ折りしたときに窓から返信宛名部１１が見えるようになる。
【０００６】
上記封筒外形紙５の返信封筒用上紙２と返信封筒用下紙３とには糊代１２が設けられている。この糊代１２は前記返信封筒用上紙２にあっては、封筒外形紙５を二つ折りするときに内方となる側であって折り部４を除いた三辺に位置し、また、返信封筒用下紙３にあっては、封筒外形紙５を二つ折りするときに内方となる側であって折り部４、６と直交する二辺に位置している。即ち、このカード送付台紙１を入れた封筒を受け取った受取人がその封筒からカード送付台紙１と取り出してカード９を取り除いた後、封筒内紙７の図示されていない情報記載欄などに所要の事項を記載し、封筒外形紙５を上記フィルム１０ｂが内方となるように折り部４で折るとともにその間に封筒内紙７を折り部６で折り入れ、前記糊代１２を用いて封着すれば、カード９を取り除いてなる窓から返信宛名部１１が表出する返信封筒が簡単に得られる。
なお、上記糊代１２は二つ折りした封筒外形紙５の内側に封筒内紙７を折り入れた状態のときに相対する辺部に設けられていればよく、上記実施の例に限定されない。また、糊代の予め感圧接着剤などの接着手段を設けておいてもよい。
【０００７】
【発明の効果】
以上説明したように、本発明のカード送付台紙によれば、返信封筒上紙の所要位置に擬似接着した二層フィルムの一方面を接着剤を介して裏打ちし、裏打ちした裏打ち面とは反対側の擬似接着面まで達する切り込みにより分離可能にしたカードを有する返信封筒用上紙と返信封筒用下紙とを折り部を介して連接してなる封筒外形紙と、前記返信封筒用下紙に折り部を介して連接され、前記返信封筒用上紙と返信封筒用下紙との間に折り入れたときの前記カードに対応する位置であって前記カードにおける前記二層フィルムとは反対側となる面と同じ側の面に返信宛名部が設けられている封筒内紙とを備えることを特徴とするものである。これによって、カード送付台紙の一部をカードとして利用するとともに、そのカードを取り除いた後に従来では不要物となっていたこのカード送付台紙から、カード取り除き後の残部をフィルムにより覆われた窓部として、しかも返信宛名部が表出する窓部とした返信封筒が簡単に得られるようになるなど、実用性に優れた効果を奏するものである。
【図面の簡単な説明】
【図１】本発明に係るカード送付台紙の一例を示すもので、（ア）は封筒外形紙の封筒作製時に内方となる側から見た状態を示す説明図、（イ）は反対側の面を示す説明図である。
【図２】二層フィルムとカードが設けられている位置を断面で示す説明図である。
【図３】封筒内紙を折り入れた状態を示す説明図である。
【符号の説明】
１…カード送付台紙
２…返信封筒用上紙
３…返信封筒用下紙
５…封筒外形紙
７…封筒内紙
８…切り込み
９…カード
１０…窓フィルム
１０ａ…フィルム
１０ｂ…フィルム
１１…返信宛名部
１２…糊代
【図１】
0004615696.tif 000002
【図２】
0004615696.tif 000003
【図３】
0004615696.tif 000004